【手続補正書】
【提出日】平成30年9月13日(2018.9.13)
【手続補正１】
【補正対象書類名】特許請求の範囲
【補正対象項目名】全文
【補正方法】変更
【補正の内容】
【特許請求の範囲】
【請求項１】
危険に対する警告をユーザに提供するためのシステムであって、
前記ユーザの環境内の領域と物体とのうちの少なくとも１つを検出する第１のセンサと、
前記ユーザの動作を検出する第２のセンサであって、前記第１のセンサ及び前記第２のセンサが、前記ユーザによって装着可能である、第２のセンサと、
前記ユーザの耳に対して配置されている、少なくとも１つの装着可能な音響変換器と、
前記ユーザに対する危険を、検出された領域と検出された物体とのうちの少なくとも１つに基づいて特定することと、
前記ユーザの検出された動作が、前記特定された危険についての前記ユーザによる認識を示しているかどうかを判断することと、
前記検出された動作が前記特定された危険についての認識を示していないと判断すると、前記少なくとも１つ音響変換器に、前記特定された危険に対する音声警告を出力することと、
を行うようにプログラムされたプロセッサと、
を備える、前記システム。
【請求項２】
前記第１のセンサが、前記ユーザの前記環境内の物体を検出する画像センサを備える、請求項１に記載のシステム。
【請求項３】
前記第２のセンサが、前記ユーザの視線方向を検出する画像センサを備える、請求項１に記載のシステム。
【請求項４】
前記プロセッサが、前記検出された領域と前記検出された物体とのうちの前記少なくとも１つの方角をさらに決定し、前記認識の表示が、前記方角の前記方向への前記ユーザの検出された視線方向を備える、請求項３に記載のシステム。
【請求項５】
前記第２のセンサが、前記ユーザの頭部の動きと位置とのうちの少なくとも１つを検出する少なくとも１つの姿勢センサを備える、請求項１に記載のシステム。
【請求項６】
前記認識の表示が、前記特定された危険に対する、前記ユーザの前記頭部の動きと位置とのうちの少なくとも１つを検出することを備える、請求項５に記載のシステム。
【請求項７】
危険に対する警告をユーザに提供するためのヘッドフォンであって、
ハウジングと、
前記ハウジング上に配置されており、前記ユーザが前記ヘッドフォンを装着した時に前記ユーザの耳に対して配置される、少なくとも１つの音響変換器と、
前記ユーザの環境内の領域と物体とのうちの少なくとも１つを検出する第１のセンサと、
前記ユーザの動作を検出するように構成された第２のセンサであって、前記第１のセンサ及び前記第２のセンサが、前記ハウジングに対して配置されている、第２のセンサと、
前記ユーザに対する危険を、検出された領域と検出された物体とのうちの少なくとも１つに基づいて特定することと、
前記ユーザの検出された動作が、前記特定された危険についての前記ユーザによる認識を示しているかどうかを判断することと、
前記検出された動作が前記特定された危険についての認識を示していないという判断により、前記少なくとも１つの音響変換器に、前記検出された領域と前記検出された物体とのうちの前記少なくとも１つに対する音声警告を、出力することと、
を行うようにプログラムされたプロセッサと、
を備える、前記ヘッドフォン。
【請求項８】
前記第２のセンサが、前記ユーザの位置と前記ユーザの移動速度とのうちの少なくとも１つを計算する、請求項７に記載のヘッドフォン。
【請求項９】
前記認識の表示が、前記ユーザの移動速度の検出された変化を備える、請求項８に記載のヘッドフォン。
【請求項１０】
前記第２のセンサが、前記ユーザの脳活動を検出する、請求項７に記載のヘッドフォン。
【請求項１１】
前記認識の表示が、脳活動の検出された変化を備える、請求項１０に記載のヘッドフォン。
【請求項１２】
前記第１のセンサが、前記ユーザの前記環境内の少なくとも１つの物体の連続する画像を取得する画像センサを備え、物体を検出すると、前記プロセッサが、前記物体と前記画像センサとの間の相対的な軌跡を計算するようにさらにプログラムされており、前記相対的な軌跡が衝突の軌跡であると判断すると、前記物体を危険として特定する、請求項７に記載のヘッドフォン。
【請求項１３】
前記少なくとも１つの音響変換器が、前記ユーザが前記ヘッドフォンを装着した時に、前記ユーザの右耳に対して配置される第１の音響変換器と、前記ユーザの左耳に対して配置される第２の音響変換器と、を備え、前記プロセッサが、
前記検出された領域と前記検出された物体とのうちの前記少なくとも１つに対する方角を判断することと、
前記警告を、前記第１の音響変換器と前記第２の音響変換器とに、前記警告が前記判断された方角と明らかに一致する場所で発せられているような方法で、出力することと、
を行うようにさらにプログラムされている、請求項７に記載のヘッドフォン。
【請求項１４】
監視サービスを提供するためのコンピュータプログラム製品であって、
それを用いて具現化されたコンピュータ可読媒体プログラムコードを有する非一時的コンピュータ可読媒体であって、プロセッサによって実行されると動作を実行する前記コンピュータ可読媒体プログラムコードが、
環境のデジタル画像を分析して、ユーザに対する危険を、物体と領域とのうちの少なくとも１つに基づいて特定することと、
前記ユーザの動作についての受信情報を分析して、前記ユーザの前記動作が、前記危険についての認識を示しているかどうかを判断することと、
前記動作が前記危険についての認識を示していないと判断すると、前記ユーザの耳に対して配置されている音響変換器を通した再生のために、前記特定された危険に対する警告を出力することと、
を備える、非一時的コンピュータ可読媒体、
を備える、前記コンピュータプログラム製品。
【請求項１５】
プロセッサによって実行されると、環境のデジタル画像を分析して、ユーザに対して危険である前記環境内の物体と領域とのうちの少なくとも１つを特定することを備える動作をさらに実行する前記コンピュータ可読媒体プログラムコードが、機械学習アルゴリズムを備え、前記機械学習アルゴリズムが、危険として、前記ユーザが避けるように動いた物体と領域とのうちの少なくとも１つを特定し、物体と領域とのうちの前記特定された少なくとも１つが、後続のデジタル画像内に存在していると判断すると、前記物体と前記領域とのうちの前記少なくとも１つを、危険として特定する、請求項１４に記載のコンピュータプログラム製品。
【手続補正２】
【補正対象書類名】明細書
【補正対象項目名】０００５
【補正方法】変更
【補正の内容】
【０００５】
監視サービスを提供するためのコンピュータプログラム製品のさまざまな実施形態は、それを用いて具現化されたコンピュータ可読媒体プログラムコードを含む非一時的コンピュータ可読媒体を、含むことができる。プログラムコードは、歩行者の環境のデジタル画像を分析して、歩行者にとって危険をもたらす、物体と領域とのうちの少なくとも１つを特定するように構成され得る。プログラムコードは、また、歩行者の動作についての受信情報を分析して、検出された動作が、歩行者が検出された物体と領域とのうちの少なくとも１つについて認識していることの表示であるかどうか、を判断するように構成され得る。プログラムコードは、また、動作が、歩行者が検出された物体と領域とのうちの少なくとも１つについて認識していることの表示ではない、と判断した時、音響変換器に可聴警告を出力するように構成され得る。
本願明細書は、例えば、以下の項目も提供する。
（項目１）
危険に対する警告をユーザに提供するためのシステムであって、
前記ユーザの環境内の領域と物体とのうちの少なくとも１つを検出する第１のセンサと、
前記ユーザの動作を検出する第２のセンサであって、前記第１のセンサ及び前記第２のセンサが、前記ユーザによって装着可能である、第２のセンサと、
前記ユーザの耳に対して配置されている、少なくとも１つの装着可能な音響変換器と、
前記ユーザに対する危険を、検出された領域と検出された物体とのうちの少なくとも１つに基づいて特定することと、
前記ユーザの検出された動作が、前記特定された危険についての前記ユーザによる認識を示しているかどうかを判断することと、
前記検出された動作が前記特定された危険についての認識を示していないと判断すると、前記少なくとも１つ音響変換器に、前記特定された危険に対する音声警告を出力することと、
を行うようにプログラムされたプロセッサと、
を備える、前記システム。
（項目２）
前記第１のセンサが、前記ユーザの前記環境内の物体を検出する画像センサを備える、項目１に記載のシステム。
（項目３）
前記第２のセンサが、前記ユーザの視線方向を検出する画像センサを備える、項目１に記載のシステム。
（項目４）
前記プロセッサが、前記検出された領域と前記検出された物体とのうちの前記少なくとも１つの方角をさらに決定し、前記認識の表示が、前記方角の前記方向への前記ユーザの検出された視線方向を備える、項目３に記載のシステム。
（項目５）
前記第２のセンサが、前記ユーザの頭部の動きと位置とのうちの少なくとも１つを検出する少なくとも１つの姿勢センサを備える、項目１に記載のシステム。
（項目６）
前記認識の表示が、前記特定された危険に対する、前記ユーザの前記頭部の動きと位置とのうちの少なくとも１つを検出することを備える、項目５に記載のシステム。
（項目７）
危険に対する警告をユーザに提供するためのヘッドフォンであって、
ハウジングと、
前記ハウジング上に配置されており、前記ユーザが前記ヘッドフォンを装着した時に前記ユーザの耳に対して配置される、少なくとも１つの音響変換器と、
前記ユーザの環境内の領域と物体とのうちの少なくとも１つを検出する第１のセンサと、
前記ユーザの動作を検出するように構成された第２のセンサであって、前記第１のセンサ及び前記第２のセンサが、前記ハウジングに対して配置されている、第２のセンサと、
前記ユーザに対する危険を、検出された領域と検出された物体とのうちの少なくとも１つに基づいて特定することと、
前記ユーザの検出された動作が、前記特定された危険についての前記ユーザによる認識を示しているかどうかを判断することと、
前記検出された動作が前記特定された危険についての認識を示していないという判断により、前記少なくとも１つの音響変換器に、前記検出された領域と前記検出された物体とのうちの前記少なくとも１つに対する音声警告を、出力することと、
を行うようにプログラムされたプロセッサと、
を備える、前記ヘッドフォン。
（項目８）
前記第２のセンサが、前記ユーザの位置と前記ユーザの移動速度とのうちの少なくとも１つを計算する、項目７に記載のヘッドフォン。
（項目９）
前記認識の表示が、前記ユーザの移動速度の検出された変化を備える、項目８に記載のヘッドフォン。
（項目１０）
前記第２のセンサが、前記ユーザの脳活動を検出する、項目７に記載のヘッドフォン。
（項目１１）
前記認識の表示が、脳活動の検出された変化を備える、項目１０に記載のヘッドフォン。
（項目１２）
前記第１のセンサが、前記ユーザの前記環境内の少なくとも１つの物体の連続する画像を取得する画像センサを備え、物体を検出すると、前記プロセッサが、前記物体と前記画像センサとの間の相対的な軌跡を計算するようにさらにプログラムされており、前記相対的な軌跡が衝突の軌跡であると判断すると、前記物体を危険として特定する、項目７に記載のヘッドフォン。
（項目１３）
前記少なくとも１つの音響変換器が、前記ユーザが前記ヘッドフォンを装着した時に、前記ユーザの右耳に対して配置される第１の音響変換器と、前記ユーザの左耳に対して配置される第２の音響変換器と、を備え、前記プロセッサが、
前記検出された領域と前記検出された物体とのうちの前記少なくとも１つに対する方角を判断することと、
前記警告を、前記第１の音響変換器と前記第２の音響変換器とに、前記警告が前記判断された方角と明らかに一致する場所で発せられているような方法で、出力することと、
を行うようにさらにプログラムされている、項目７に記載のヘッドフォン。
（項目１４）
監視サービスを提供するためのコンピュータプログラム製品であって、
それを用いて具現化されたコンピュータ可読媒体プログラムコードを有する非一時的コンピュータ可読媒体であって、プロセッサによって実行されると動作を実行する前記コンピュータ可読媒体プログラムコードが、
環境のデジタル画像を分析して、ユーザに対する危険を、物体と領域とのうちの少なくとも１つに基づいて特定することと、
前記ユーザの動作についての受信情報を分析して、前記ユーザの前記動作が、前記危険についての認識を示しているかどうかを判断することと、
前記動作が前記危険についての認識を示していないと判断すると、前記ユーザの耳に対して配置されている音響変換器を通した再生のために、前記特定された危険に対する警告を出力することと、
を備える、非一時的コンピュータ可読媒体、
を備える、前記コンピュータプログラム製品。
（項目１５）
前記ユーザの動作についての前記受信情報が、前記ユーザの頭部の動きについての情報を備え、前記ユーザの前記頭部の左右への交互の動きが、認識していることを示す、項目１４に記載のコンピュータプログラム製品。
（項目１６）
前記ユーザの動作についての前記受信情報が、異なるコンピュータプログラム製品へのユーザ入力を検出することを備え、入力が検出されている期間が、前記ユーザによる認識がないことを示す、項目１４に記載のコンピュータプログラム製品。
（項目１７）
前記コンピュータ可読媒体プログラムコードが、ユーザによって実行されると、前記デジタル画像を分析して前記デジタル画像内の検出された物体の大きさを計算することを備える動作をさらに実行し、前記計算された大きさが所定の閾値の大きさを超えているという判断により、前記検出された物体が、危険として特定される、項目１４に記載のコンピュータプログラム製品。
（項目１８）
前記コンピュータ可読媒体プログラムコードが、プロセッサによって実行されると、前記デジタル画像内の検出された物体を画像のデータベース内の参照画像と比較することを備える動作をさらに実行し、前記検出された物体が前記画像データベース内の参照画像に一致すると前記判断したことにより、前記検出された物体が、危険として特定される、項目１４に記載のコンピュータプログラム製品。
（項目１９）
前記コンピュータ可読媒体プログラムコードが、プロセッサによって実行されると、
前記検出された物体と前記検出された領域とのうちの前記少なくとも１つについてのテキスト記述を作成することと、
テキスト音声変換を前記テキスト記述に対して実行することと、
を備える動作をさらに実行し、
前記警告が、前記音声変換されたテキスト記述の音声提示を備える、
項目１４に記載のコンピュータプログラム製品。
（項目２０）
プロセッサによって実行されると、環境のデジタル画像を分析して、ユーザに対して危険である前記環境内の物体と領域とのうちの少なくとも１つを特定することを備える動作をさらに実行する前記コンピュータ可読媒体プログラムコードが、機械学習アルゴリズムを備え、前記機械学習アルゴリズムが、危険として、前記ユーザが避けるように動いた物体と領域とのうちの少なくとも１つを特定し、物体と領域とのうちの前記特定された少なくとも１つが、後続のデジタル画像内に存在していると判断すると、前記物体と前記領域とのうちの前記少なくとも１つを、危険として特定する、項目１４に記載のコンピュータプログラム製品。